(57)【要約】【課題】各種施工性に難点があった。【解決手段】複数枚のタイル２、2a…が目地間隙３、3a…を有して整列配置されると共に、該目地間隙３、3a…にスペーサー５、5a…を配置し、複数枚のタイル２、2a…にわたって、タイル２、2a…の表面に透明または半透明の粘着テープ４、4aを剥離自在に接着すると共に、該粘着テープ４、4aにスペーサー５、5a…を接着することによって、形態を視認可能に粘着テープ４、4aで一体化されたタイルユニット１を躯体の接着剤に貼着し、硬化後に粘着テープ４、4aを剥離するだけで施工が完了する。【選択図】図１
2006169785.tif 000002
【特許請求の範囲】
【請求項１】
複数枚のタイルが目地間隙を有して整列配置されると共に、該目地間隙にスペーサーを
配置し、
複数枚のタイルにわたって、タイルの表面に透明または半透明の粘着テープを剥離自在
に接着すると共に、該粘着テープにスペーサーを接着したことを特徴とするタイルユニッ
ト。
【請求項２】
スペーサーは緩衝材と成したことを特徴とする請求項１記載のタイルユニット。
【請求項３】
スペーサーをタイルより薄くしたことを特徴とする請求項１又は２記載のタイルユニッ
ト。
【請求項４】
躯体とタイルの裏面を接着する接着剤とスペーサーは相互接着力が低い材質と成したこ
とを特徴とする請求項１、２又は３記載のタイルユニット。
【請求項５】
粘着テープの端部をタイルの表面に非接着としたことを特徴とする請求項１、２、３又
は４記載のタイルユニット。
【請求項６】
２条以上の長尺長方形の粘着テープを平行に接着したことを特徴とする請求項１、２、
３、４又は５記載のタイルユニット。
【発明の詳細な説明】
【技術分野】
【０００１】
本発明は、複数枚のタイルを整列配置させてユニット化したタイルユニットに関する。
【背景技術】
【０００２】
従来、複数枚のタイルをユニット化する方式としては、タイルの表面または裏面に紙や
ネット等のシートを張り付けて連結一体化したものがあり、例えば、複数枚のタイルの表
面に紙を張ったものや、裏面にネットを張ったものが使用されていた。
【０００３】
紙張りユニットでは、複数枚のタイルの表面に糊付けして紙を接着してユニット化し、
躯体の貼着面に接着剤を塗布した後、紙張りユニットを接着剤を介して躯体に貼着し、タ
イルの表面から紙を剥離する方式であった。
この紙張りユニットによる施工では、躯体への貼着段階では、紙が前面の全面に位置し
てタイルが見えず、紙を剥離するまで、タイルのズレ、欠けを発見出来なかったり、紙を
剥離した後工程として、洗浄によりタイルに残留した糊を除去せねばならなかったり、タ
イル表面の凹部内での糊残りの観点から粗面のタイルに対して利用できなかったという問
題点があった。
【０００４】
ネット張りユニットでは、複数枚のタイルの裏面に接着剤等でネットを接着してユニッ
ト化し、躯体の貼着面に接着剤を塗布した後、ネット張りユニットを接着剤を介して躯体
に貼着する方式であった。
このネット張りユニットによる施工では、タイル、ネット等の材質の相性によっては接
着が十分で無く、タイルが剥離する可能性が問題となっていたり、施工後には目地間隙か
らネットが見え、美観を損なうという問題点があった。
【０００５】
研究開発段階や出願段階で先行技術調査を行っておらず、記載すべき先行技術文献を知
りません。
【発明の開示】
【発明が解決しようとする課題】
【０００６】
解決しようとする問題点は、タイル形態の確認、洗浄後工程が必要、粗面タイルに利用
困難、接着性、美観等の点である。
【課題を解決するための手段】
【０００７】
本発明は、上記従来技術に基づく、各種施工性に難点があった課題に鑑み、複数枚のタ
イルが目地間隙を有して整列配置されると共に、該目地間隙にスペーサーを配置し、複数
枚のタイルにわたって、タイルの表面に透明または半透明の粘着テープを剥離自在に接着
すると共に、該粘着テープにスペーサーを接着することによって、形態を視認可能に粘着
テープで一体化されたタイルユニットを躯体の接着剤に貼着し、硬化後に粘着テープを剥
離するだけで施工が完了する様にして、上記課題を解決する。
【発明の効果】
【０００８】
要するに本発明は、複数枚のタイルが目地間隙を有して整列配置されると共に、該目地
間隙にスペーサーを配置したので、スペーサーで目地間隙を確保した所望形態で複数枚の
タイルを配列することが出来、又タイルが所定間隔より近接しないことにより、目地間隙
において粘着テープ同志が付着することを防止できると共に、一定の目地幅を確保、維持
することが出来る。
又、複数枚の全てのタイルにわたって、タイルの表面に粘着テープを剥離自在に接着し
たので、所望形態に配列したタイルを連結一体化することが出来ると共に、粘着テープを
容易に剥離して施工を完了することが出来、粘着テープは透明または半透明としたので、
躯体への貼着直後でもタイルの不具合の発見、調整を行うことが出来、又粘着テープにス
ペーサーを接着したので、粘着テープの剥離時にスペーサーを同時に除去することが出来
る。
よって、一度に複数枚のタイルを施工することが可能であり、施工効率を良好とするこ
とが出来たり、粘着テープ剥離時の施工終了時には、従前のモルタル施工と変わらない性
能を持ち、スペーサーは除去されて残存せず美観を損なうことが無く、更に、粘着テープ
の粘着層は剥離される粘着テープに付着していることにより、洗浄後工程の必要が無く、
作業時間を短縮出来ると共に、粗面のタイルにも利用することが出来る。
【０００９】
スペーサーは緩衝材と成したので、粘着テープと同時に除去されるスペーサーがタイル
に接触しても、タイルに対する悪影響を防止することが出来る。
【００１０】
スペーサーをタイルより薄くしたので、躯体へのタイルユニットの貼着時に、スペーサ
ーが躯体側の接着剤に付着せず、スペーサーの残存を防止して、除去後工程を不要とする
ことが出来る。
【００１１】
躯体とタイルの裏面を接着する接着剤とスペーサーは相互接着力が低い材質と成したの
で、万が一、スペーサーの一部が躯体側の接着剤に付着した場合でも、付着したスペーサ
ーを容易に除去することが出来る。
【００１２】
粘着テープの端部をタイルの表面に非接着としたので、非接着部を利用して粘着テープ
をタイルから容易に剥離することが出来る。
【００１３】
２条以上の長尺長方形の粘着テープを平行に接着したので、粘着テープはタイルユニッ
トに部分的に接着されて、粘着テープの周囲がテープ空白部となってタイル形態を直接確
認することが出来ると共に、平行の粘着テープでタイルの整列状態を維持することが出来
る等その実用的効果甚だ大である。
【発明を実施するための最良の形態】
【００１４】
以下、本発明の一実施形態を図面に基づいて説明する。
図１、２は本発明を平板タイルに適用した正面図および側面図であり、図３はコーナー
タイルに適用した斜視図である。
図１、２に示す様に、本発明に係るタイルユニット１は、複数枚（図示のものでは４枚
）のタイル２、2a…が千鳥状に整列配置され、隣接するタイル２、2a…同志の間に所定幅
の目地間隙３、3a…を形成する状態で、タイル２、2a…が整列配置されている。
配列された複数枚の全てのタイル２、2a…にわたって、裏面に粘着層、接着層等を有す
る適宜幅で長尺長方形の２条の粘着テープ４、4aを平行に剥離自在に接着しており、タイ
ル２、2a…の間の目地間隙３、3a…の位置では粘着テープ４、4aの裏面にスペーサー５、
5a…を接着している。
尚、長尺長方形の粘着テープ４、4aは２条平行のものを示したが、１条や３条以上のも
のでも良く、部分的接着で周囲にテープ空白部を形成したり、タイル２、2a…の整列状態
を維持する点から、２条以上のものが好ましい。
【００１５】
複数枚のタイル２、2a…にわたって接着した粘着テープ４、4aは、両端（図示では上下
端）のタイル２、2a…では、タイル２、2a…の一部に粘着テープ４、4aの端部を接着する
と共に、中間のタイル２、2a…では、隣接するタイル２、2a…に延設する状態で接着方向
全長に粘着テープ４、4aを接着している。
【００１６】
更に、端部（図示では上端）のタイル２、2a…に接着したテープ４、4aは、施工時に剥
離容易に接着することが好ましく、即ち、粘着テープ４、4aの端部（図示では上端部のみ
）をタイル２、2a…側に折り返して、粘着テープ４、4aの裏面の接着面同志を接着させて
表面の非接着面をタイル２、2a…の表面側に位置させ、粘着テープ４、4aの端部に非接着
部６、6aを形成している。
尚、粘着テープ４、4aはタイル２、2a…に対して剥離自在に接着したが、スペーサー５
、5a…は施工後に粘着テープ４、4aに付着した状態を維持する様に、粘着テープ４、4aと
スペーサー５、5a…は通常の接着状態としている。
【００１７】
スペーサー５、5a…は樹脂発泡材で緩衝材と成すと共に、タイル２、2a…の厚さＨ１に
対してスペーサー５、5a…の厚さＨ２は約半分程度に薄くして、スペーサー５、5a…を粘
着テープ４、4aに接着した状態では、裏面側に空白部を形成している。
尚、スペーサー５、5a…の大きさはタイル２、2a…の間の目地間隙３、3a…と略同一幅
で粘着テープ４、4aの幅と略同一長さと成しているが、スペーサー５、5a…は目地間隙３
、3a…より細幅としても良く、又長さは略同一以外で長短どちらでも良い。
【００１８】
又、スペーサー５、5a…や接着剤等の材質に関しては、躯体の表面とタイル２、2a…の
裏面を接着する接着剤は施工に充分な接着力を有すると共に、接着剤とスペーサー５、5a
…は相互接着力が低い材質と成している。
例えば、接着剤としては、無溶剤型で一液弾性型の接着剤で、空気中の湿気と反応して
硬化するタイプの変性させた特殊なシリコーン系樹脂接着剤が挙げられ、スペーサー５、
5a…としては、緩衝材ともなるポリエチレンフォーム（発泡品）が挙げられる。
【００１９】
尚、上記実施形態では平板タイルに本発明を適用した例を示したが、図３に示す様に、
２面が直角のコーナータイルにも本発明を適用できる。
この例では、直角２面に長尺長方形の粘着テープ４、4a等を夫々設けており、その他の
構成は上記実施形態と同様である。
【００２０】
次に本発明に係るタイルユニットの作用について説明する。
複数枚のタイル２、2a…が整列して粘着テープ４、4aで連結一体化されたタイルユニッ
ト１は、２条の粘着テープ４、4aの周囲のテープ空白部や透明または半透明の粘着テープ
４、4aを透視して、タイル２、2a…の整列状態（位置ズレ）や欠損（欠け）その他の形態
を確認しつつ、躯体表面に塗布した接着剤にタイルユニット１を押し付けてタイル２、2a
…の裏面を貼着する。
尚、躯体への貼着段階では、タイル２、2a…の裏面が粗面であったり、図示していない
凹溝等で強固に接着している。
【００２１】
そして、躯体とタイル２、2a…を貼着する接着剤が硬化した後、タイル２、2a…の表面
に接着した粘着テープ４、4aの端部の非接着部６、6aを把持して、粘着テープ４、4aをタ
イル２、2a…から順次、剥離する。
タイル２、2a…の間の目地間隙３、3a…に位置するスペーサー５、5a…は粘着テープ４
、4aの裏面に接着していることにより、タイル２、2a…から剥離された粘着テープ４、4a
にスペーサー５、5a…が付着したまま目地間隙３、3a…から離脱する。
【００２２】
スペーサー５、5a…は緩衝材であることにより、目地間隙３、3a…からの離脱時にタイ
ル２、2a…を損傷させたり、位置ズレを発生させる様な悪影響を及ぼさない。
又、スペーサー５、5a…はタイル２、2a…より薄くて粘着テープ４、4aに接着している
ことにより、躯体への貼着時に、スペーサー５、5a…は躯体に塗布した接着剤に付着せず
、目地間隙３、3a…にスペーサー５、5a…の一部が残存しない。
【００２３】
尚、粘着テープ４、4a裏面の粘着層は、タイル２、2a…から剥離される粘着テープ４、
4aに付着していることにより、表面が粗面のタイル２、2a…であっても、粘着テープ４、
4aの剥離後にタイル２、2a…の表面に粘着層が残存せず、施工完了となる。
又、スペーサー５、5a…の一部が躯体側の接着剤に付着する等、目地間隙３、3a…に残
存した時は、接着剤に対して接着力が低い材質のスペーサー５、5a…を除去する。
【００２４】
次に、タイルユニットの製作方法の一例について説明するが、これに限定されない。
例えば、複数枚のタイル２、2a…を目地間隙３、3a…を有して所望形態で治具（図示せ
ず）上に定置し、目地間隙３、3a…にスペーサー５、5a…を配置して、タイル２、2a…お
よびスペーサー５、5a…に粘着テープ４、4aを接着する。
【図面の簡単な説明】
【００２５】
【図１】本発明に係る平板タイルのユニットの正面図である。
【図２】図１の側面図である。
【図３】コーナータイルのユニットの斜視図である。
【符号の説明】
【００２６】
１        タイルユニット
２、2a…  タイル
３、3a…  目地間隙
４、4a    粘着テープ
５、5a…  スペーサー
６、6a    非接着部
Ｈ１      厚さ
Ｈ２      厚さ
【図１】
2006169785.tif 000003
【図２】
2006169785.tif 000004
【図３】
2006169785.tif 000005